(57)【要約】      （修正有）【課題】エネルギ蓄積ユニットの制御をより確実に行うことを可能にする。【解決手段】自動車の少なくとも１つの第１エネルギ蓄積ユニット６および自動車の少なくとも１つの第２エネルギ蓄積ユニット９用の制御装置２であって、第１エネルギ蓄積ユニット６の第１初期設定２２と、第２エネルギ蓄積ユニット９の第２初期設定２３とを備えた不揮発性記憶装置１６を有する。不揮発性記憶装置１６は、第１エネルギ蓄積ユニット６および第２エネルギ蓄積ユニット９の適合設定２４を備えた別の記憶装置１７にデータ伝送するように接続されている。不揮発性記憶装置１６は、第１初期設定２２を備えた第１記憶装置部分２０と、第１記憶装置部分２０から電気的に切り離された、第２初期設定２３を備えた第２記憶装置部分２１とを有する。【選択図】図４
2019030216.tif 000002
【特許請求の範囲】
【請求項１】
自動車（１）の少なくとも１つの第１エネルギ蓄積ユニット（６）および前記自動車（１）の少なくとも１つの第２エネルギ蓄積ユニット（９）用の制御装置（２）であって、
前記第１エネルギ蓄積ユニット（６）の第１初期設定（２２）と、前記第２エネルギ蓄積ユニット（９）の第２初期設定（２３）とを備えた不揮発性記憶装置（１６）を有し、
前記不揮発性記憶装置（１６）は、前記第１エネルギ蓄積ユニット（６）および前記第２エネルギ蓄積ユニット（９）の適合設定（２４）を備えた別の記憶装置（１７）にデータ伝送するように接続されている、制御装置（２）において、
前記不揮発性記憶装置（１６）は、第１初期設定（２２）を備えた第１記憶装置部分（２０）と、前記第１記憶装置部分（２０）から電気的に切り離された、前記第２初期設定（２３）を備えた第２記憶装置部分（２１）と、を有することを特徴とする制御装置（２）。
【請求項２】
前記第１記憶装置部分（２０）は、第１データ線路（２５）によって前記別の記憶装置（１７）に電気的に接続されており、
前記第２記憶装置部分（２１）は、前記第１データ線路（２５）とは異なる第２データ線路（２６）によって前記別の記憶装置（１７）に電気的に接続されている、請求項１記載の制御装置（２）。
【請求項３】
前記第１記憶装置部分（２０）は、前記第１エネルギ蓄積ユニット（６）の電圧供給部に接続されており、かつ／または前記第２記憶装置部分（２１）は、前記第２エネルギ蓄積ユニット（９）の電圧供給部に接続されている、請求項１または２記載の制御装置（２）。
【請求項４】
前記別の記憶装置は、前記第２エネルギ蓄積ユニットの電圧供給部（だけ）に接続されている、請求項１から３までのいずれか１項記載の制御装置（２）。
【請求項５】
前記制御装置（２）は、前記第１初期設定（２２）および前記第２初期設定（２３）に基づいて、前記第１エネルギ蓄積ユニット（６）および前記第２エネルギ蓄積ユニット（９）の制御を実行する機能ユニット（１８）を有しており、
前記機能ユニット（１８）は、第３データ線路（２７）により、前記第１記憶装置部分（２０）に直接に電気的に接続されている、請求項１から４までのいずれか１項記載の制御装置（２）。
【請求項６】
前記機能ユニット（１８）は、前記第１エネルギ蓄積ユニット（６）の電圧供給部と、前記第２エネルギ蓄積ユニット（９）の電圧供給部とに接続されている、請求項５記載の制御装置（２）。
【請求項７】
前記別の記憶装置（１７）は、前記制御装置（２）の機能ユニット（１８）に依存して前記適合設定（２４）を適合させるように構成された制御ユニット（１９）に接続されている、請求項１から６までのいずれか１項記載の制御装置（２）。
【請求項８】
前記第１エネルギ蓄積ユニット（６）は、必要時のエネルギ蓄積装置として構成されており、前記第２エネルギ蓄積ユニット（９）は、標準時のエネルギ蓄積装置として構成されている、請求項１から７までのいずれか１項記載の制御装置（２）。
【請求項９】
前記別の記憶装置（１７）は、揮発性記憶装置として構成されている、請求項１から８までのいずれか１項記載の制御装置（２）。
【請求項１０】
自動車（１）の少なくとも１つの第１エネルギ蓄積ユニット（６）および前記自動車（１）の少なくとも１つの第２エネルギ蓄積ユニット（９）用の制御装置（２）を動作させる方法であって、
不揮発性記憶装置（１６）から、前記第１エネルギ蓄積ユニット（６）の第１初期設定（２２）と、前記第２エネルギ蓄積ユニット（９）の第２初期設定（２３）とを読み出す、制御装置（２）の動作させる方法において、
前記不揮発性記憶装置（１６）の第１記憶装置部分（２０）から前記第１初期設定（２２）を読み出し、
前記第１記憶装置部分（２０）から切り離された、前記不揮発性記憶装置（１６）の第２記憶装置部分（２１）から前記第２初期設定（２２）を読み出すことを特徴とする、制御装置（２）を動作させる方法。
【発明の詳細な説明】
【技術分野】
【０００１】
本発明は、自動車の少なくとも１つの第１エネルギ蓄積ユニットおよび自動車の少なくとも１つの第２エネルギ蓄積ユニット用の制御装置に関する。制御装置は、第１エネルギ蓄積ユニットの第１初期設定と、第２エネルギ蓄積ユニットの第２初期設定とを備えた不揮発性記憶装置を有する。不揮発性記憶装置は、第１エネルギ蓄積ユニットおよび第２エネルギ蓄積ユニットの適合設定を備えた別の記憶装置にデータ伝送するように接続されている。さらに本発明は、自動車の少なくとも１つの第１エネルギ蓄積ユニットおよび自動車の少なくとも１つの第２エネルギ蓄積ユニット用の制御装置を動作させる方法に関する。この方法では、第１エネルギ蓄積ユニットの第１初期設定と、第２エネルギ蓄積ユニットの第２初期設定とが、不揮発性記憶装置から読み出される。
【背景技術】
【０００２】
エネルギ蓄積ユニット用の制御装置が公知である。一般に、エネルギ蓄積ユニット、すなわち例えば蓄電池は、制御装置によって制御または監視される。大部分が蓄電池固有である設定情報に基づき、制御装置により、エネルギ蓄積ユニットを仕様にしたがって制御することできる。これに含まれるのは、例えば、最高温度の考慮、充電過程の経過、放電過程の経過、セル数の考慮、最大充電電流、最大放電電流または最大電圧である。
【０００３】
車両における今日の車載電源網は、それぞれエネルギを消費しかつ／または送出することが可能な１つまたは複数のエネルギシステムまたは車載電源網分岐から構成することができる。制御装置または制御機器は、エネルギシステムの管理を受け持っている。エネルギシステムは、時間の経過に伴って物理的に放電してしまい、エネルギのない状態になってしまう傾向がある。制御機器は、エネルギがない状態においても、その調整機能を維持できなければならない。制御機器内の不揮発性（データ）記憶装置により、例えばＯＴＰ（ＯＴＰ：one-time-programmable）記憶装置により、制御機器の持続的かつ不揮発的な設定を実行することができる。不揮発性記憶装置にプログラムされた調整は、制御機器の都度のスタート時に読み出されて、作業記憶装置に引き継がれるので、制御機器が初期設定される。
【発明の概要】
【発明が解決しようとする課題】
【０００４】
本発明の課題は、エネルギ蓄積ユニットの制御をより確実に行うことが可能な制御装置および方法を提供することである。
【課題を解決するための手段】
【０００５】
この課題は、独立請求項による制御装置および方法によって解決される。
【０００６】
本発明による制御装置は、自動車の少なくとも１つの第１エネルギ蓄積ユニットおよび自動車の少なくとも１つの第２エネルギ蓄積ユニット用に設けられている。制御装置は、第１エネルギ蓄積ユニットの第１初期設定と、第２エネルギ蓄積ユニットの第２初期設定とを備えた不揮発性記憶装置を有する。不揮発性記憶装置は、別の記憶装置にデータ伝送するように接続されている。別の記憶装置は、第１エネルギ蓄積ユニットおよび第２エネルギ蓄積ユニットの適合設定を有する。重要な着想として、不揮発性記憶装置が、第１初期設定を備えた第１記憶装置部分と、第１記憶装置部分から電気的に切り離された、特に機能的に切り離された、第２初期設定を備えた第２記憶装置部分と、を有することが規定されている。
【０００７】
本発明の根底にある認識によれば、第１記憶装置部分と第２記憶装置部分とを電気的に切り離すことにより、制御装置がより確実に動作できるようにする。したがって、例えば第２記憶装置部分の故障時に、第１記憶装置部にも同じことが起こることはない。特に、第１記憶装置部分と、第２記憶装置部分とが、電気的に切り離されていることにより、機能的にも切り離されており、１つの記憶装置部分の、特に第２記憶装置部分の機能障害が、別の記憶装置部分の、特に第１記憶装置部分の機能性に影響を及ぼしてしまうことがない。
【０００８】
第１初期設定により、第１エネルギ蓄積ユニットの動作を制御することができ、第２初期設定により、第２エネルギ蓄積ユニットの動作を制御することができる。それぞれの初期設定は、例えば、それぞれのエネルギ蓄積ユニットを問題なく動作させるために設けられている特に最大値または最小値のような境界値を備えたパラメタセットである。それぞれの初期設定により、例えば、それぞれのエネルギ蓄積ユニットがいくつのセル数を有するかが示され、またそれぞれのエネルギ蓄積ユニットの最大充電電流、最大放電電流、最高温度または最大電圧も示される。
【０００９】
それぞれの初期設定は、不揮発性記憶装置に記憶されており、電源断後も再利用可能である。
【００１０】
特に不揮発性記憶装置および別の記憶装置は、データ記憶装置として構成されている。さらに、特に不揮発性記憶装置は、ＯＴＰ（ＯＴＰ−one time programmable）記憶装置として構成されている。この記憶装置は、１回だけ書き込み可能である。
【００１１】
例えばそれぞれのエネルギ蓄積ユニットに対し、これをより良好に動作させることができる仕方について新たな知識が得られたため、またはそれぞれのエネルギ蓄積ユニットが、経年変化上の理由から、適合された動作を要するため、それぞれの初期設定を適合させなければならないことが起こり得る。この場合には、適合のため、それぞれのエネルギ蓄積ユニットの適合設定を利用できる。適合設定により、それぞれの初期設定の少なくとも一部を適合させることができる。したがって、不揮発性記憶装置の、特に１回だけプログラム可能な記憶装置のプログラミング後であっても、適合設定によって初期設定を適合させることができる。適合設定により、それぞれ初期設定の一部を適合させるか、またはそれぞれ初期設定全体を適合させることもできる。この際に、適合設定は、それぞれ初期設定の値を置き換えるか、またはこれを低減または増大させることが可能である。
【００１２】
好適には、第１記憶装置部分が、第１データ線路によって別の記憶装置に電気的に接続されており、第２記憶装置部分が、第１データ線路とは異なる第２データ線路によって別の記憶装置に電気的に接続されているようにする。これにより、それぞれの記憶装置部分は、異なるデータ線路によって別の記憶装置に接続され、複数の記憶装置部分のうちの１つの故障時、特に電力供給部の故障時には、残りの記憶装置部分が、依然としてデータを別の記憶装置に伝送することができる。
【００１３】
好適にはさらに、第１記憶装置部分が、特に、第１エネルギ蓄積ユニットの電圧供給部だけに接続されており、かつ／または第２記憶装置部分が、特に、第２エネルギ蓄積ユニットの電圧供給部だけに接続されているようにする。それぞれの記憶装置部分をそれぞれの電圧供給部に別々に接続することにより、それぞれの記憶装置部分を互いに依存せずに動作させることができる。
【００１４】
好適にはさらに、別の記憶装置が、特に第２エネルギ蓄積ユニットの電圧供給部だけに接続されているようにする。第２エネルギ蓄積ユニットは、特に、標準時のエネルギ蓄積器またはメインエネルギ蓄積器として構成されており、動作に必要なエネルギを別の記憶装置に供給する。第２エネルギ蓄積ユニットから別の記憶装置にエネルギを供給することにより、エネルギ供給を十分に行うことができる。
【００１５】
好適にはさらに、制御装置が、第１初期設定および第２初期設定に基づいて、第１エネルギ蓄積ユニットおよび第２エネルギ蓄積ユニットの制御を実行する機能ユニットを有しており、機能ユニットが、第３データ線路により、第１記憶装置部分に電気的に接続されているようにする。この場合に、機能ユニットにより、対応する初期設定に基づき、また好適には対応する適合設定（これが利用可能な場合）にも基づき、それぞれのエネルギ蓄積ユニットの特に機能的な制御が実行される。すなわち、機能ユニットが、第１エネルギ蓄積ユニットおよび／または第２エネルギ蓄積ユニットを制御する。機能ユニットは、例えばＤＳＰ（Digital Signal Processor）、マイクロコントローラ、ＦＰＧＡ（Field Programmable Gate Array）またはＡＳＳＰ（Application Specific Standard Product）として構成可能である。有利であるのは、第３データ線路である。なぜなら、これによって、別の記憶装置が、例えば電圧供給がないことに起因して停止した場合であっても、第１記憶装置部分と機能ユニットとの間のデータ伝送が可能になるからである。すなわち、第３データ線路は、フォールバック線路または安全防護線路とみなすことができる。なぜなら、第３データ線路は、特に第１データ線路および／または別の記憶装置が故障した場合に利用されるからである。
【００１６】
好適にはさらに、機能ユニットが、第１エネルギ蓄積ユニットの電圧供給部と、第２エネルギ蓄積ユニットの電圧供給部とに接続されているようにする。機能ユニットを、第１エネルギ蓄積ユニットの電圧供給部と、第２エネルギ蓄積ユニットの電圧供給部とに接続することにより、２つの電圧供給部のうちの１つまたは２つのエネルギ蓄積ユニットのうちの１つが故障した場合であっても、機能ユニットは動作可能である。これにより、機能ユニットの電圧供給部が特に冗長に構成される。
【００１７】
好適にはさらに、別の記憶装置が、制御装置の機能ユニットに依存して適合設定を適合させるように構成された制御ユニットに、特に直接に電気的に接続されているようにする。制御ユニットにより、別の記憶装置を充填または上書きすることができる。制御ユニットは、このための指示を特に機能ユニットから受け取る。したがって、制御ユニットは、例えば機能ユニットから、別の記憶装置内の適合設定を適合させるという要求か、または例えば新たなスタートの後に適合設定がそこにまだ存在しない場合には、適合設定を新たに格納するという要求を受け取る。好適には、制御ユニットは、第２エネルギ蓄積ユニットの電圧供給部に接続されている。制御ユニットは、機能ユニットに類似して同様に、例えばＤＳＰ、マイクロコントローラ、ＦＰＧＡ、ＡＳＩＣまたはＡＳＳＰとして構成可能である。
【００１８】
好適にはさらに、第１エネルギ蓄積ユニットが、必要時のエネルギ蓄積装置または安全保護エネルギ蓄積装置として構成されており、第２エネルギ蓄積ユニットが、標準時のエネルギ蓄積装置として構成されているようにする。すなわち、標準時のエネルギ蓄積装置は、好適にはメインエネルギ蓄積装置である。第２エネルギ蓄積ユニットまたは安全保護エネルギ蓄積装置は、第２エネルギ蓄積ユニットの故障時に、スイッチ、直流電圧変換器、周辺の負荷装置または第２エネルギ蓄積ユニットを保護する。第１エネルギ蓄積ユニットは、それ自体も保護する。安全保護エネルギ蓄積装置により、例えば過電圧に対する保護機能を提供することができる。
【００１９】
別の記憶装置が、揮発性記憶装置として構成されているようにすることも可能である。揮発性記憶装置では、エネルギ供給がある場合に限ってデータが保存される。揮発性記憶装置は有利である。なぜなら、揮発性記憶装置は、特に読み出し時および書き込み時に、例えば不揮発性記憶装置によって可能になるアクセス速度よりも高いアクセス速度を有するからである。
【００２０】
本発明は、本発明による方法にも関する。この方法では、自動車の少なくとも１つの第１エネルギ蓄積ユニットおよび自動車の少なくとも１つの第２エネルギ蓄積ユニット用の制御装置が動作させられる。ここでは、不揮発性記憶装置から第１エネルギ蓄積ユニットの第１初期設定を読み出す。さらに、不揮発性記憶装置から第２エネルギ蓄積ユニットの第２初期設定を読み出す。重要な着想として、不揮発性記憶装置の第１記憶装置部分から第１初期設定を読み出し、第１記憶装置部分から電気的に切り離された、不揮発性記憶装置の第２記憶装置部分から第２初期設定を読み出すことが規定されている。
【００２１】
本発明による制御装置の有利な実施形態は、本発明による方法の有利な実施形態とみなすことができる。制御装置の対象となる構成要素は、それぞれの方法ステップを実行するようにそれぞれ構成されている。
【００２２】
本発明のさらなる特徴は、請求項、図面および図面の説明から得られる。明細書において上で挙げた特徴および特徴の組み合わせ、ならびに以下で図面の説明において挙げられ、かつ／または図面だけにおいて示される特徴および特徴の組み合わせは、それぞれ示された組み合わせだけでなく、本発明の枠を逸脱することなく、別の組み合わせにおいても、または単独でも使用可能である。
【００２３】
以下、概略図面に基づいて本発明の実施例を詳しく説明する。
【図面の簡単な説明】
【００２４】
【図１】本発明による制御装置の実施例を有する自動車の概略平面図である。
【図２】自動車の３つのエネルギシステムを有する制御装置の概略図である。
【図３】詳細に示されたエネルギシステムを有する制御装置の別の概略図である。
【図４】互い電気的に切り離された、不揮発性記憶装置の第１記憶部分と、不揮発性記憶装置の第２記憶部分とを有する制御装置の概略図である。
【発明を実施するための形態】
【００２５】
図面において同じ要素または機能的に同じ要素には同じ参照符号が付されている。
【００２６】
図１には、自動車１が概略平面図で示されている。自動車１は、制御装置２を有する。制御装置２は、第１エネルギシステム３、第２エネルギシステム４および第３エネルギシステム５に電気的に接続されている。エネルギシステムとはここでは、例えばエネルギ蓄積ユニット、消費装置またはエネルギ生成ユニットを有する、自動車１の電源網の領域のことをいう。それぞれのエネルギシステムを、自動車１の車載電源網の車載電源網分岐ということも可能である。
【００２７】
自動車１における制御装置２およびエネルギシステム３，４，５の配置は、多種多様に行うことが可能であるが、好適には機能に適して配置が成されている。
【００２８】
自動車１は、好適には乗用車として構成されている。
【００２９】
図２には制御装置２、第１エネルギシステム３、第２エネルギシステム４および第３エネルギシステム５が示されている。エネルギシステム３，４，５は、制御装置２に電気的に接続されている。
【００３０】
図３にも同様に制御装置２、第１エネルギシステム３、第２エネルギシステム４および第３エネルギシステム５が示されているが、詳細な図で示されている。
【００３１】
第１エネルギシステム３は、第１エネルギ蓄積ユニット６、第１電気消費装置７および第１エネルギ生成ユニット８を有する。第１エネルギ蓄積ユニット６は、特にリチウムイオンバッテリとして構成されているが、別の多種多様な方法で構成されたバッテリであってもよい。第１電気消費装置７は、自動車１のエネルギ消費装置として構成されており、例えばヒータユニット、エアコンディショナコンプレッサ、照明ユニットまたはアクチュエータとして構成可能である。第１エネルギ生成ユニット８は、好適には発電機として構成される。
【００３２】
第２エネルギシステム４は、第２エネルギ蓄積ユニット９および第２電気消費装置１０を有する。第２エネルギ蓄積ユニット９は、特に第１エネルギ蓄積ユニット６と同様に構成されている。第２電気消費装置１０は、第１電気消費装置７と同様に構成可能である。
【００３３】
第３エネルギシステム５は、第２エネルギ生成ユニット１１および第３電気消費装置１２を有する。第３電気消費装置１２は、第１電気消費装置７と同様に、かつ／または第２電気消費装置１０と同様に構成可能である。第２エネルギ生成ユニット１１は、第１エネルギ形成ユニット８と同様に構成可能である。
【００３４】
制御装置２は、一実施例によれば、直流電圧変換器１３、第１スイッチ１４および第２スイッチ１５を有する。さらに制御装置２は、不揮発性記憶装置１６および別の記憶装置１７を有する。不揮発性記憶装置１６は、特に１回だけプログラム可能なデータ記憶装置として、すなわちいわゆるＯＰＰ記憶装置として構成されている。別の記憶装置１７は、好適には揮発性データ記憶装置として構成されており、例えばＲＡＭ（ＲＡＭ＝Random Access Memory）として構成されている。
【００３５】
図４には、制御装置２の一実施例が示されている。制御装置２は、不揮発性記憶装置１６および別の記憶装置１７を有する。さらに制御装置２は、機能ユニット１８および制御ユニット１９を有する。
【００３６】
機能ユニット１８および／または制御ユニット１９は、ＤＳＰ、マイクロコントローラ、ＦＰＧＡ、ＡＳＩＣまたはＡＳＳＰとして構成可能である。不揮発性記憶装置１６、別の記憶装置１７、機能ユニット１８および制御ユニット１９は、ただ１つのチップ上に配置可能であるが、それぞれ別のチップとして構成可能である。
【００３７】
不揮発性記憶装置１６は、第１記憶装置部分２０および第２記憶装置部分２１を有する。第１記憶装置部分２０と第２記憶装置部分２１とは電気的に切り離されている。第１記憶装置部分２０には第１初期設定２２が格納されており、第２記憶装置部分２１には第２初期設定２３が格納されている。第１初期設定２２は、第１エネルギ蓄積ユニット６を制御するために設けられおり、第２初期設定２３は、第２エネルギ蓄積ユニット９を制御するために設けられている。それぞれの初期設定２２，２３により、例えば、それぞれのエネルギ蓄積ユニット６，９の目標動作値が設定される。これらの目標動作値は、次に、それぞれのエネルギ蓄積ユニット６，９の実際に検出した測定値と比較可能である。この比較を起点として、次に、例えば機能ユニット１８によって適合させて、それぞれのエネルギ蓄積ユニット６，９を動作させることができる。目標動作値は、例えば最高温度、最低温度、最大電圧、最大充電電流および／または最大放電電流であってよい。しかしながら、例えば、それぞれの初期設定２２，２３により、それぞれのエネルギ蓄積ユニット６，９のセル数を提示することも可能である。
【００３８】
別の記憶装置１７には、適合設定２４が格納されている。適合設定２４は、第１エネルギ蓄積ユニット６および第２エネルギ蓄積ユニット９用に設けられている。適合設定２４により、第１初期設定２２および／または第２初期設定２３を適合させることができる。適合が必要になり得るのは、第１エネルギ蓄積ユニット６および／または第２エネルギ蓄積ユニット９を適合させて動作させたい場合である。この適合させた動作が必要になり得るのは、例えば、経年変化の発生に起因して、それぞれのエネルギ蓄積ユニット６，９を、基本初期状態のとき、例えば出荷状態のときとは異なる動作をさせたい場合である。しかしながら、適合は、例えばそれぞれのエネルギ蓄積ユニット６，９の寿命を延ばすために、適合された動作を促す新たな知識が生じた場合にも必要になり得る。
【００３９】
１回だけプログラム可能な不揮発性記憶装置１６にそれぞれの初期設定２２，２３が格納された後には、不揮発性記憶装置１６において適合を直接に行うことはできず、適合は、特に別の記憶装置１７において、適合設定２４によって行われる。
【００４０】
第１記憶装置部分２０は、第１エネルギ蓄積ユニット６の電圧供給部に接続されている。第２記憶装置部分２１は、第２エネルギ蓄積ユニット９の電圧供給部に接続されている。別の記憶装置１７は、第２エネルギ蓄積ユニット９の電圧供給部に接続されている。これにより、第１記憶装置部分２０には、第１エネルギ蓄積ユニット６だけからエネルギが供給され、第２記憶装置部分２１および別の記憶装置１７には、第２エネルギ蓄積ユニット９だけからエネルギが供給される。
【００４１】
第１記憶装置部分２０は、第１データ線路２５により、別の記憶装置１７に電気的に接続されている。これにより、第１データ線路２５を介し、第１記憶装置部分２０から別の記憶装置１７にデータを伝送することができる。第２記憶装置部分２１は、第２データ線路２６を介して別の記憶装置１７に電気的に接続されている。これにより、第２データ線路２６を介し、第２記憶装置部分２１から別の記憶装置１７にデータを、特に第２初期設定２３を伝送することができる。
【００４２】
機能ユニット１８は、第３データ線路２７を介し、第１記憶装置部分２０に直接に電気的に接続されている。これにより、第３データ線路を介し、第１記憶装置部分２０から機能ユニット１８にデータを、特に第１初期設定２２を直接に伝送することができる。第１データ線路２５および／または別の記憶装置１７が故障した場合、第３データ線路２７により、第１記憶装置部分２０から機能ユニット１８にデータ伝送することも可能である。すなわち、機能ユニット１８は、フォールバック設定のようなものとして、適合設定２４を含まない第１初期設定２０を利用することができ、これによって、第１エネルギ蓄積ユニット６および／または第２エネルギ蓄積ユニット９は、第２記憶装置部分２１、第２データ線路２６、第１データ線路２５および／または別の記憶装置１７の故障後にも制御される。
【００４３】
機能ユニット１８は、第１エネルギ蓄積ユニット６の電圧供給部に接続されている。さらに機能ユニット１８は、第２エネルギ蓄積ユニット９の電圧供給部に接続されている。すなわち、機能ユニット１８には、第１エネルギ蓄積ユニット６および第２エネルギ蓄積ユニット９からエネルギが供給される。
【００４４】
制御ユニット１９は、別の記憶装置１７に直接に電気的に接続されている。この電気的な接続により、制御ユニット１９は、別の記憶装置１７にアクセスすることができ、制御ユニット１９から別の記憶装置１７にデータを、特に適合設定２４を伝送することができる。制御ユニット１９により、適合設定２４を適合させることができる。したがって、制御ユニットは、機能ユニット１８から命令を受け取り、この命令に依存して適合設定２４を少なくとも部分的に適合させるかまたはこれを新たに格納することができる。
【００４５】
この実施例によれば、制御ユニット１９は、第４データ線路２８によって別の記憶装置１７に電気的に接続されている。さらに機能ユニット１８は、第５データ線路２９を介して制御ユニット１９に電気的に接続されている。特に第５データ線路２９を介して両方向にまたは双方向にデータ伝送することができる。したがって、制御ユニット１９から機能ユニット１８にデータを伝送することができる。しかしながら、機能ユニット１８から制御ユニット１９にデータを伝送することもできる。
【００４６】
この実施例によれば、第１エネルギ蓄積ユニット６は、必要時のエネルギ蓄積装置または安全防護蓄積装置として構成されており、第２エネルギ蓄積ユニット９は標準時のエネルギ蓄積装置として構成されている。すなわち、第１エネルギ蓄積ユニット６が、第３データ線路を介して機能ユニット１８に直接に接続された後は、故障時に、特に第２エネルギ蓄積ユニット９の故障時に、機能ユニット１８の適正な機能を維持するためにこの安全防護蓄積装置を使用可能である。
【符号の説明】
【００４７】
１  自動車、  ２  制御装置、  ３  第１エネルギシステム、  ４  第２エネルギシステム、  ５  第３エネルギシステム、  ６  第１エネルギ蓄積ユニット、  ７  第１電気消費装置、  ８  第１エネルギ生成ユニット、  ９  第２エネルギ蓄積ユニット、  １０  第２電気消費装置、  １１  第２エネルギ生成ユニット、  １２  第３電気消費装置、  １３  直流電圧変換器、  １４  第１スイッチ、  １５  第２スイッチ、  １６  不揮発性記憶装置、  １７  別の記憶装置、  １８  機能ユニット、  １９  制御ユニット、  ２０  第１記憶装置部分、  ２１  第２記憶装置部分、  ２２  第１初期設定、  ２３  第２初期設定、  ２４  適合設定、  ２５  第１データ線路、  ２６  第２データ線路、  ２７  第３データ線路、  ２８  第４データ線路、  ２９  第５データ線路
【図１】
2019030216.tif 000003
【図２】
2019030216.tif 000004
【図３】
2019030216.tif 000005
【図４】
2019030216.tif 000006
【外国語明細書】
2019030216.tif 000007
2019030216.tif 000008
2019030216.tif 000009
2019030216.tif 000010
2019030216.tif 000011
2019030216.tif 000012
2019030216.tif 000013
2019030216.tif 000014
2019030216.tif 000015
2019030216.tif 000016
2019030216.tif 000017
2019030216.tif 000018
2019030216.tif 000019
2019030216.tif 000020
2019030216.tif 000021
2019030216.tif 000022
2019030216.tif 000023
2019030216.tif 000024
2019030216.tif 000025
2019030216.tif 000026
2019030216.tif 000027
2019030216.tif 000028
2019030216.tif 000029